(57)【要約】【課題】使い勝手のよい光照射型美容装置を提供する。【解決手段】照射口１１０の異なる複数種類のカバー１００が交換可能な光照射型美容装置１０であって、複数種類のカバー１００のうち一種類のカバー１００が取り付けられる本体部２０と、本体部２０に設けられた照射部５０であって、本体部２０に取り付けられたカバー１００の照射口１１０に向けて光を照射する照射部５０と、カバー１００の種類を検出する検出部（一対のカバー検知スイッチ９２、一対の弾性体９４、一対の第四スイッチ素子６４、制御部１５）と、検出部が検出したカバー１００の種類に基づいて、照射部５０が照射する光の出力を制御する制御部１５とを備えている。【選択図】図３
2019092859.tif 000002
【特許請求の範囲】
【請求項１】
照射口の異なる複数種類のカバーが交換可能な光照射型美容装置であって、
前記複数種類のカバーのうち一種類のカバーが取り付けられる本体部と、
前記本体部に設けられた照射部であって、前記本体部に取り付けられた前記カバーの前記照射口に向けて光を照射する照射部と、
前記本体部に取り付けられた前記カバーの種類を検出する検出部と、
前記検出部が検出した前記カバーの種類に基づいて、前記照射部が照射する光の出力を制御する制御部とを備える
光照射型美容装置。
【請求項２】
前記照射部は、
光源と、
前記光源が出射した光の一部を前記照射口に向けて反射する反射部を備え、
前記反射部は、前記複数種類のカバーのいずれかが前記本体部に取り付けられたとしても当該カバーの照射口内に、前記光源の配光のピークを配置する反射面を有する
請求項１に記載の光照射型美容装置。
【請求項３】
前記光源は、平行に配置された複数の管状光源を有し、
前記反射面は、前記管状光源の軸方向視において凹状に形成されていて、前記反射面がなす凹状空間内に前記複数の管状光源が配置されている
請求項２に記載の光照射型美容装置。
【請求項４】
前記反射面は、前記管状光源の軸方向視において、
前記複数の管状光源のそれぞれにおける前記カバーとは反対側の対向した位置で凹んだ複数の凹状面を備えている
請求項３に記載の光照射型美容装置。
【発明の詳細な説明】
【技術分野】
【０００１】
本発明は、肌に対して用いられる光照射型美容装置に関する。
【背景技術】
【０００２】
従来、肌に対して、フラッシュライトを照射することで、シミの除去や、殺菌によるニキビの解消等の肌ケア、抑毛などの光美容を実現できる光照射型美容装置が知られている。例えば、特許文献１に記載の光照射型美容装置では、種類の異なる照射ユニットが交換可能となっている。照射ユニットのそれぞれには光源が搭載されており、照射ユニットを交換することで異なる波長の光を照射できるようになっている。つまり、照射ユニットを交換するだけで、ユーザは所望の施術を行うことが可能となっている。
【先行技術文献】
【特許文献】
【０００３】
【特許文献１】特開２０１３−１５４２２９号公報
【発明の概要】
【発明が解決しようとする課題】
【０００４】
近年においては、使い勝手のよい光照射型美容装置が望まれている。
【０００５】
本発明は、使い勝手のよい光照射型美容装置を提供することを目的とする。
【課題を解決するための手段】
【０００６】
上記目的を達成するため、本発明の一態様に係る光照射型美容装置は、照射口の異なる複数種類のカバーが交換可能な光照射型美容装置であって、複数種類のカバーのうち一種類のカバーが取り付けられる本体部と、本体部に設けられた照射部であって、本体部に取り付けられたカバーの照射口に向けて光を照射する照射部と、本体部に取り付けられたカバーの種類を検出する検出部と、検出部が検出したカバーの種類に基づいて、照射部が照射する光の出力を制御する制御部とを備える。
【発明の効果】
【０００７】
本発明によれば、使い勝手のよい光照射型美容装置を提供することができる。
【図面の簡単な説明】
【０００８】
【図１】図１は、実施の形態に係る光照射型美容装置の概略構成を示す平面図である。
【図２】図２は、実施の形態に係る光照射型美容装置の概略構成を示す側面図である。
【図３】図３は、実施の形態に係る光照射型美容装置の概略構成を示す断面図である。
【図４】図４は、実施の形態に係るヘッド部の概略構成を示す平面図である。
【図５】図５は、実施の形態に係るヘッド部の分解斜視図である。
【図６】図６は、実施の形態に係るヘッド部の概略構成を示す側面図である。
【図７】図７は、実施の形態に係るヘッド部の概略構成を示す部分断面図である。
【図８】図８は、実施の形態に係る、種類の異なるカバーの概略構成を示す平面図である。
【図９】図９は、実施の形態に係る反射部及び一対の管状光源の概略構成を示す斜視図である。
【図１０】図１０は、実施の形態に係る反射部及び一対の管状光源の概略構成を示す平面図である。
【図１１】図１１は、実施の形態に係る反射部及び一対の管状光源の概略構成を示す断面図である。
【図１２】図１２は、実施の形態に係る光源の配光を示す説明図である。
【図１３】図１３は、実施の形態に係る光照射型美容装置の制御構成を示すブロック図である。
【発明を実施するための形態】
【０００９】
以下では、本発明の実施の形態に係る光照射型美容装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［光照射型美容装置］
まず、実施の形態に係る光照射型美容装置１０について説明する。図１は、実施の形態に係る光照射型美容装置１０の概略構成を示す平面図である。図２は、実施の形態に係る光照射型美容装置１０の概略構成を示す側面図である。図３は、実施の形態に係る光照射型美容装置１０の概略構成を示す断面図である。具体的には、図３は、図１におけるＩＩＩ−ＩＩＩ切断線を含む切断面を見た断面図である。
【００１２】
図１〜図３に示すように、光照射型美容装置１０は、本体部２０と、本体部２０に対して装着されるカバー１００とを備えている。
【００１３】
本体部２０は、外装体である長尺なハウジング２１を備えており、そのハウジング２１の一端部には、肌に対して光を照射するためのヘッド部３０が取り付けられている。また、ハウジング２１の一端部内には、ヘッド部３０を冷却するためのファン３１が設けられている。ハウジング２１の一端部には、ファン３１の吸気及び排気を確保する多数の通気孔３２が設けられている。
【００１４】
ハウジング２１におけるヘッド部３０とは反対側の部分は、使用者により把握される把握部４０であり、ヘッド部３０よりも細く形成されている。把握部４０には、電源のＯＮ／ＯＦＦを切り替えるための電源ボタン４１と、光照射型美容装置１０の動作モードを選択するための選択ボタン４２と、電源ＯＮ時に点灯し、ＯＦＦ時に消灯する点灯部４３とが設けられている。また、把握部４０の下端部には、商用電源がケーブルを介して接続される電源端子４９が設けられている。
【００１５】
また、図２に示すように、把握部４０内には、回路基板４４、コンデンサ４５などが収容されている。回路基板４４には、ヘッド部３０に備わる照射部５０を駆動するための複数の回路部品４６が実装されている。複数の回路部品４６には、マイコンが含まれており、このマイコンが光照射型美容装置１０の各駆動部を制御する制御部１５（図１３参照）である。
【００１６】
また、複数の回路部品４６には、第一スイッチ素子４６１及び第二スイッチ素子４６２（図１３参照）が含まれている。第一スイッチ素子４６１は、電源ＯＮ／ＯＦＦ用であり、電源ボタン４１が押下されることで、商用電源からの電力供給のＯＮ／ＯＦＦを切り替えるための制御信号を制御部１５に出力する。また、第二スイッチ素子４６２は、動作モード選択用であり、選択ボタン４２が押下されることで、各動作モードに応じた制御信号を制御部１５に出力する。動作モードとしては、例えば、肌に対するケアを行う肌ケアモードと、体毛の発育を抑える抑毛モードなどが挙げられる。
【００１７】
コンデンサ４５は、商用電源からの電力を、照射部５０をフラッシュ発光させるための電荷として蓄えるコンデンサである。コンデンサ４５から照射部５０に出力される電力のデューティ比は、制御部１５によって制御されるようになっている。
【００１８】
［ヘッド部］
図４は、実施の形態に係るヘッド部３０の概略構成を示す平面図である。図５は、実施の形態に係るヘッド部３０の分解斜視図である。図６は、実施の形態に係るヘッド部３０の概略構成を示す側面図である。図７は、実施の形態に係るヘッド部３０の概略構成を示す部分断面図である。具体的には、図７は、図６のＶＩＩ−ＶＩＩ切断線を含む切断面を見た断面図である。
【００１９】
図４〜図７に示すように、ヘッド部３０は、照射部５０と、支持部材６０と、基板６１と、色検出センサ５９と、フレーム７０とを備えている。
【００２０】
照射部５０は、カバー１００の照射口１１０に向けて光を照射する。照射部５０は、光源５１と、反射部５２と、固定部材５３と、フィルタ５４と、第一基台５５と、第二基台５６とを備えている。
【００２１】
光源５１は、一対の管状光源５１１を有している。管状光源５１１はフラッシュ発光可能な光源であり、例えばキセノンランプである。一対の管状光源５１１は、互いに隣り合う位置で平行に配置されている。
【００２２】
反射部５２は、光源５１が出射した光の一部を照射口１１０に向けて反射するリフレクタである。この反射部５２は、照射口１１０側が開放された凹状空間５２１を有しており、その凹状空間５２１内に一対の管状光源５１１の一部が配置されている。具体的には、一対の管状光源５１１の両端部が、凹状空間５２１からはみ出している。反射部５２の詳細については、後述する。
【００２３】
固定部材５３は、凹状空間５２１の外方で、一対の管状光源５１１の両端部を個別に保持することで、一対の管状光源５１１を固定する部材である。固定部材５３は、例えば弾性部材であり、一対の管状光源５１１のそれぞれの両端部を弾性力で挟み込むことで、一対の管状光源５１１を安定して支持している。
【００２４】
フィルタ５４は、凹状空間５２１の開放部分を覆っており、一対の管状光源５１１から照射された光の波長を調整する光学フィルタである。フィルタ５４は、平面視長方形状に形成されており、その長手方向が管状光源５１１の軸方向と平行となっている。
【００２５】
第一基台５５は、光源５１と、反射部５２と、固定部材５３とを収容する部材である。また、第一基台５５には、フィルタ５４が凹状空間５２１の開放部分を覆うように取り付けられている。
【００２６】
第二基台５６は、第一基台５５に組み付けられることで、光源５１と、反射部５２と、固定部材５３と、フィルタ５４とを第一基台５５とともに一体化する。つまり、照射部５０は、ユニット化されている。第二基台５６には、フィルタ５４を露出させる枠状部５６１が設けられている。枠状部５６１は、フィルタ５４の外形に対応して平面視矩形枠状に形成されている。この枠状部５６１の開口を介して、フィルタ５４を通過した光が外部へ照射される。
【００２７】
支持部材６０は、本体部２０におけるヘッド部３０側の端部に設けられており、照射部５０、基板６１、色検出センサ５９及びフレーム７０を支持している。支持部材６０は、環状に形成されており、その中央の開口には、基板６１及び一対の管状光源５１１と、回路基板４４及びコンデンサ４５とを電気的に接続する配線が配置されている。また、支持部材６０の開口は、ファン３１から送風された空気の流路ともなる。
【００２８】
基板６１は、枠状に形成されており、当該基板６１の開口と支持部材６０との開口とが重なっている。基板６１の開口内にも配線が配置されている。また、基板６１の開口は、ファン３１から送風された空気の流路ともなる。つまり、ファン３１からの送風された空気は、支持部材６０の開口及び基板６１の開口を通過することで、照射部５０を冷却する。
【００２９】
基板６１には、色検出センサ５９と、一対の第三スイッチ素子６３と、一対の第四スイッチ素子６４とが実装されている。一対の第三スイッチ素子６３は、カバー１００の装着状態を検出するためのスイッチ素子である。また、一対の第四スイッチ素子６４は、カバー１００の種類を検出するためのスイッチ素子である。一対の第三スイッチ素子６３と、一対の第四スイッチ素子６４とは、制御部１５に電気的に接続されている。
【００３０】
色検出センサ５９は、施術時に近接する肌の色を検知するためのセンサである。色検出センサ５９は、制御部１５に電気的に接続されている。
【００３１】
フレーム７０は、本体部２０におけるヘッド部３０側の端部に設けられており、支持部材６０に対して取り付けられている。フレーム７０は、フィルタ５４を露出した状態で、照射部５０、基板６１、色検出センサ５９及び支持部材６０を覆っている。
【００３２】
具体的には、フレーム７０は、壁部７１と、天板部７２とを備えている。壁部７１は、照射部５０、基板６１、色検出センサ５９及び支持部材６０の周囲を囲む部位である。天板部７２は、壁部７１内に架け渡されており、その中央にフィルタ５４を露出する露出口７２１が形成されている。露出口７２１は、第二基台５６の枠状部５６１が嵌合するように、平面視長方形状となっている。このため、露出口７２１には、第二基台５６の枠状部５６１が全周にわたって密着する。これにより、フィルタ５４を通過しない光が露出口７２１から漏れ出ないようになっている。
【００３３】
天板部７２には、突出部７９と、一対の係止部８０と、一対のフロートスイッチ９１と、一対のカバー検知スイッチ９２とが設けられている。
【００３４】
突出部７９は、天板部７２においてカバー１００側に向けて突出した部位である。突出部７９は、露出口７２１の一方の長辺近傍の中央部分に配置されている。この突出部７９に対しては色検出センサ５９が取り付けられており、突出部７９の先端面から色検出センサ５９の検出面が露出している。
【００３５】
一対の係止部８０は、カバー１００を着脱自在に係止する。具体的には、一対の係止部８０は、天板部７２において露出口７２１を長手方向で挟む位置に設けられている。一対の係止部８０のそれぞれは、カバー１００に係合する一対のフック８１と、一対のフック８１間に架け渡された弾性体８２と、一対のフック８１及び弾性体８２を保持する台座８３とを備えている。一対のフック８１は、露出口７２１の短手方向に間隔をあけて台座８３に設けられている。一対のフック８１は、台座８３上で短手方向に移動可能に保持されている。また、一対のフック８１は、弾性体８２によって間隔を狭める方向に付勢されている。この一対のフック８１に対してカバー１００が係合すると、弾性体８２の付勢力によって一対のフック８１がカバー１００を挟持して、カバー１００がフレーム７０に保持される。また、カバー１００は、弾性体８２の付勢力よりも強い力で引き抜かれると、一対のフック８１から取り外される。
【００３６】
図３に示すように、一対のフロートスイッチ９１及び一対のカバー検知スイッチ９２は、天板部７２において露出口７２１の周囲に配置されている。具体的には、露出口７２１の一方の長辺近傍には、一方のフロートスイッチ９１及び一方のカバー検知スイッチ９２が配置されている。一方のフロートスイッチ９１及び一方のカバー検知スイッチ９２の間には、突出部７９が設けられている。また、露出口７２１の他方の長辺近傍には、他方のフロートスイッチ９１及び他方のカバー検知スイッチ９２が配置されている。一対のフロートスイッチ９１を結ぶ仮想直線と、一対のカバー検知スイッチ９２を結ぶ仮想直線とが交差するように、一対のフロートスイッチ９１及び一対のカバー検知スイッチ９２が配置されている。
【００３７】
フロートスイッチ９１は、棒状体であり、その先端部が天板部７２から昇降するように、フレーム７０に取り付けられている。フロートスイッチ９１には、弾性体９３が取り付けられており、この弾性体９３によって天板部７２から上昇する方向への力が付勢されている。一対のフロートスイッチ９１の基端部は、一対の第三スイッチ素子６３に対向している。フロートスイッチ９１がカバー１００によって押されると、フロートスイッチ９１は弾性体の付勢力に抗いながら天板部７２内に埋没して、当該フロートスイッチ９１の基端部が第三スイッチ素子６３を押圧する。この際、第三スイッチ素子６３は制御信号を出力する。
【００３８】
一方、フロートスイッチ９１がカバー１００によって押されなければ、フロートスイッチ９１は弾性体９３の付勢力によって上昇して、当該フロートスイッチ９１の基端部が第三スイッチ素子６３から離間する。この際、第三スイッチ素子６３は制御信号を出力しない。
【００３９】
ここで、一対の第三スイッチ素子６３の両者が押圧された状態では、カバー１００の装着状態が正常であることとする。つまり、一対の第三スイッチ素子６３のうち、一つの第三スイッチ素子６３のみが押圧された状態では、カバー１００の装着状態が正常でないと言える。制御部１５は、一対の第三スイッチ素子６３からの制御信号に基づいて、カバー１００の装着状態が正常であるか否かを判断する。
【００４０】
カバー検知スイッチ９２は、棒状体であり、その先端部が天板部７２から昇降するように、フレーム７０に取り付けられている。カバー検知スイッチ９２には、弾性体９４が取り付けられており、この弾性体９４によって天板部７２から上昇する方向への力が付勢されている。一対のカバー検知スイッチ９２の基端部は、一対の第四スイッチ素子６４に対向している。この一対の第四スイッチ素子６４に対する押圧の有無を検出することで、カバー１００の種類を検出することが可能である。
【００４１】
具体的には、種類の異なるカバー１００のそれぞれには、一対のカバー検知スイッチ９２の少なくとも一つを押圧する突起（図示省略）が設けられている。突起の個数と、設置位置は、カバー１００の種類毎に異ならせている。また、カバー１００は、その種類によって、照射口１１０の大きさ、形状及び位置の少なくとも一つが異なっている。
【００４２】
図８は、実施の形態に係る、種類の異なるカバー１００の概略構成を示す平面図である。具体的には、図８の（ａ）は一種類目のカバー１００Ａを示し、図８の（ａ）は二種類目のカバー１００Ｂを示し、図８の（ｃ）は三種類目のカバー１００Ｃを示している。
【００４３】
各カバー１００Ａ、１００Ｂ、１００Ｃは、照射部５０から照射された光を通過させる照射口１１０ａ、１１０ｂ、１１０ｃを備えている。照射口１１０ａ、１１０ｂ、１１０ｃの大きさ、形状及び位置は、施術対象となる部位に応じて設定されている。また、各カバー１００Ａ、１００Ｂ、１００Ｃには、突出部７９を露出するための切り欠き１１１が設けられている。切り欠き１１１は、各照射口１１０ａ、１１０ｂ、１１０ｃからは隔離されている。
【００４４】
例えば、一種類目のカバー１００Ａは、強い刺激に耐えうる部位用（例えばボディ用）である。カバー１００Ａの照射口１１０ａは、平面視矩形状であり、大きさが三種類のなかで最も大きく、平面視でカバー１００Ａの中央部に配置されている。また、カバー１００Ａには、一対のカバー検知スイッチ９２のうち一方のカバー検知スイッチ９２のみを押す１つの突起（図示省略）が設けられている。カバー１００Ａが本体部２０に装着されて、一方のカバー検知スイッチ９２が押されると、一方の第四スイッチ素子６４のみが制御信号を出力する。制御部１５は、この制御信号に基づいて、現在装着中のカバー１００Ａの種類が一種類目であることを検出する。
【００４５】
二種類目のカバー１００Ｂは、中位の刺激に耐えうる部位用（例えばビキニライン用）である。カバー１００Ｂの照射口１１０ｂは、平面視矩形状であり、大きさが三種類のなかで二番目に大きく、平面視でカバー１００Ｂの中央部に配置されている。カバー１００Ｂには、一対のカバー検知スイッチ９２のうち他方のカバー検知スイッチ９２のみを押す１つの突起（図示省略）が設けられている。カバー１００Ｂが本体部２０に装着されて、他方のカバー検知スイッチ９２が押されると、他方の第四スイッチ素子６４のみが制御信号を出力する。制御部１５は、この制御信号に基づいて、現在装着中のカバー１００Ｂの種類が二種類目であることを検出する。
【００４６】
三種類目のカバー１００Ｃは、弱い刺激に耐えうる部位用（例えば顔用）である。カバー１００Ｃの照射口１１０ｃは、一辺が湾曲した平面視略矩形状であり、大きさが三種類のなかで最も小さく、平面視でカバー１００Ｃの切り欠き１１１に寄った位置に配置されている。カバー１００Ｃには、一対のカバー検知スイッチ９２のそれぞれを押す２つの突起（図示省略）が設けられている。カバー１００Ｃが本体部２０に装着されて、一対のカバー検知スイッチ９２のそれぞれが押されると、一対の第四スイッチ素子６４のそれぞれが制御信号を出力する。制御部１５は、この制御信号に基づいて、現在装着中のカバー１００Ｃの種類が三種類目であることを検出する。
【００４７】
このように、本実施の形態では、カバー１００の種類を検出する検出部は、一対のカバー検知スイッチ９２と、一対の弾性体９４と、一対の第四スイッチ素子６４と、制御部１５とを含んで構成されている。なお、カバー検知スイッチ、弾性体、第四スイッチ素子の設置個数を増やせば、より多くの種類を検出することが可能である。また、ここで例示した検出部はあくまで一例であり、カバー１００の種類を検出することができるのであれば、その構成は如何様でもよい。
【００４８】
［反射部］
次に、反射部５２の詳細について説明する。図９は、実施の形態に係る反射部５２及び一対の管状光源５１１の概略構成を示す斜視図である。図１０は、実施の形態に係る反射部５２及び一対の管状光源５１１の概略構成を示す平面図である。図１１は、実施の形態に係る反射部５２及び一対の管状光源５１１の概略構成を示す断面図である。具体的には、図１１は、図１０におけるＸＩ−ＸＩ切断線を含む切断面を見た断面図である。
【００４９】
図９〜図１１に示すように、反射部５２の凹状空間５２１は、照射口１１０側が開放されている。また、反射部５２における凹状空間５２１をなす凹曲面は、反射面５２２となっている。なお、反射部５２には、凹状空間５２１の両側方を覆う一対の壁５２３も備えられている。一対の壁５２３の内面は反射面であってもよい。一対の壁５２３には、一対の管状光源５１１の両端部が貫通する貫通口５２４が設けられている。
【００５０】
反射部５２内において、一対の管状光源５１１は、両端部が貫通口５２４を介して凹状空間５２１からはみ出た状態で、凹状空間５２１内に収容されている。これにより、一対の管状光源５１１から照射された光の一部は、凹状空間５２１の開口から直接、照射口１１０に向かうとともに、その他の光は、反射面５２２で反射された後に、凹状空間５２１の開口を介して照射口１１０に向かう。
【００５１】
図１１に示すように、反射面５２２は、管状光源５１１の軸方向視において凹状に形成されている。具体的には、反射面５２２は、軸方向視略放物線状の凹曲面を基準に形成されている。反射面５２２においては、この凹曲面の先端部が、照射口１１０側に向けて突出した形状となっている。これにより、反射面５２２には、一対の凹状面５２５が形成されている。一対の凹状面５２５は、一対の管状光源５１１のそれぞれにおけるカバー１００とは反対側の対向した位置で凹んでいる。この凹状面５２５の開放端部には、管状光源５１１に当接することで、当該管状光源５１１を所定の位置で保持する一対の点状突起５２６が設けられている。図１０に示すように、一対の点状突起５２６は、一つの凹状面５２５に対して二組設けられている。二組の一対の点状突起５２６は、軸方向で所定の間隔をあけて配置されている。各対の点状突起５２６で管状光源５１１が保持されると、凹状面５２５から離れた状態となる。このため管状光源５１１から照射された光は、凹状面５２５で反射された後に、凹状面５２５と管状光源５１１との隙間を通過して、照射口１１０側に向かう。この隙間を通過した光は、管状光源５１１の正面の位置ではなく、一対の管状光源５１１がなす間隔の中心Ｃに寄った位置で集中することとなる。つまり、管状光源５１１から直接出射された光と、反射面５２２によって反射された光との総合的な配光には、中心Ｃに寄った位置でピークが形成されることになる。
【００５２】
図１２は、実施の形態に係る光源５１の配光を示す説明図である。具体的には、図１２の（ａ）は、軸方向視において右側の管状光源５１１のみから光を照射させた場合（第一照射パターン）の配光を示している。図１２の（ｂ）は、軸方向視において左側の管状光源５１１のみから光を照射させた場合（第二照射パターン）の配光を示している。図１２の（ｃ）は、一対の管状光源５１１のそれぞれから同時に光を照射させた場合（第三照射パターン）の配光を示している。また、図１２において、縦軸は光束（ｌｍ）であり、横軸は中心Ｃからの距離（ｍｍ）である。
【００５３】
図１２の（ａ）に示すように、第一照射パターンでは、配光のピークは中心Ｃから右に３ｍｍ程度ズレた位置に配置されている。図１２の（ｂ）に示すように、第二照射パターンでは、配光のピークは中心Ｃから右に２ｍｍ程度ズレた位置に配置されている。図１２の（ｃ）に示すように、第三照射パターンでは、配光のピークは中心Ｃに重なった位置に配置されている。このように、いずれの照射パターンにおいても配光のピークが中心Ｃを基準にして±３ｍｍ以内に収まっている。
【００５４】
施術時においては、第一照射パターン、第二照射パターン及び第三照射パターンのいずれかで一対の管状光源５１１がパルス発光する。いずれの照射パターンにおいても、配光のピークがカバー１００の照射口１１０内に収まっていると、施術対象となる部位に光が安定して照射されやすい。このため、各種類のカバー１００Ａ、１００Ｂ、１００Ｃの照射口１１０ａ、１１０ｂ、１１０ｃは、当該照射口１１０ａ、１１０ｂ、１１０ｃ内に、全ての照射パターンの配光のピークが配置される位置及び大きさに形成されていることが好ましい。つまり、反射面５２２は、複数種類のカバー１００Ａ、１００Ｂ、１００Ｃのいずれかが本体部２０に取り付けられたとしても、当該カバー１００Ａ、１００Ｂ、１００Ｃの照射口１１０ａ、１１０ｂ、１１０ｃ内に、光源５１の配光のピークを配置するとも言える。
【００５５】
［制御構成］
次に、光照射型美容装置１０の制御構成について説明する。図１３は、実施の形態に係る光照射型美容装置１０の制御構成を示すブロック図である。
【００５６】
図１３に示すように、光照射型美容装置１０の制御部１５は、マイコンであり、第一スイッチ素子４６１、第二スイッチ素子４６２、一対の第三スイッチ素子６３、一対の第四スイッチ素子６４、一対の管状光源５１１、点灯部４３、コンデンサ４５、ファン３１及び色検出センサ５９が電気的に接続されている。制御部１５は、第一スイッチ素子４６１、第二スイッチ素子４６２、一対の第三スイッチ素子６３及び一対の第四スイッチ素子６４から出力された制御信号及び色検出センサ５９の検出結果に基づいて、一対の管状光源５１１、点灯部４３、コンデンサ４５及びファン３１を制御する。
【００５７】
具体的には、制御部１５は、電源ＯＦＦ時に、電源ボタン４１が操作されることによって第一スイッチ素子４６１から制御信号が入力されると、商用電源からの電力を各部に供給する。一方、制御部１５は、電源ＯＮ時に、電源ボタン４１が操作されることによって第一スイッチ素子４６１から制御信号が入力されると、商用電源からの電力の供給を停止する。なお、制御部１５は、電源ＯＮ時においては点灯部４３を点灯させ、電源ＯＦＦ時においては点灯部４３を消灯させる。また、制御部１５は、電源ＯＮ時においてはファン３１を駆動させ、電源ＯＦＦ時においてはファン３１を停止させる。つまり、電源ＯＮ時においては、ファン３１によって照射部５０が冷却されている。
【００５８】
また、制御部１５は、電源ＯＮ時に、一対の第三スイッチ素子６３からの制御信号に基づいて、カバー１００の装着状態が正常であるか否かを判断する。具体的には、制御部１５は、一対の第三スイッチ素子６３のそれぞれから制御信号を受信した場合には、カバー１００の装着状態が正常であると判断する。この場合にのみ、制御部１５は、光源５１を発光させることができる。
【００５９】
一方、制御部１５は、一対の第三スイッチ素子６３の一つのみから制御信号を受信した場合、或いは一対の第三スイッチ素子６３のいずれかからも制御信号を受信しない場合には、カバー１００の装着状態が異常であると判断する。この場合には、制御部１５は、如何なる操作が行われたとしても光源５１を発光させない。なお、異常時においては、制御部１５は、異常を知らせる発光態様で点灯部４３を点灯させてもよい。
【００６０】
また、制御部１５は、電源ＯＮ時に、一対の第四スイッチ素子６４からの制御信号に基づいて、本体部２０に装着されたカバー１００の種類を検出する。具体的には、制御部１５は、一方の第四スイッチ素子６４のみから制御信号を受信すると、現在装着中のカバー１００Ａの種類が一種類目であることを検出する。また、制御部１５は、他方の第四スイッチ素子６４のみから制御信号を受信すると、現在装着中のカバー１００Ｂの種類が二種類目であることを検出する。また、制御部１５は、一対の第四スイッチ素子６４のそれぞれから同時に制御信号を受信すると、現在装着中のカバー１００Ｃの種類が三種類目であることを検出する。
【００６１】
また、制御部１５は、電源ＯＮ時に、選択ボタン４２が操作されることによって第二スイッチ素子４６２から各動作モードに応じた制御信号が入力されると、当該動作モードに応じた照射パターンで一対の管状光源５１１を制御する。例えば、本実施の形態においては、肌ケアモードでは第一照射パターンと第二照射パターンとが交互にパルス発光するものとし、抑毛モードでは、第三照射パターンのみがパルス発光するものとする。
【００６２】
ここで、制御部１５は、検出したカバー１００の種類に基づいて、照射部５０が照射する光の出力を制御する。具体的には、照射口１１０ａ、１１０ｂ、１１０ｃの大きさに基づいて、各カバー１００Ａ、１００Ｂ、１００Ｃに対する光の出力が設定されている。例えば、照射口１１０ａが最も大きい一種類目のカバー１００Ａの場合には、光の出力は最も大きい設定値とする。照射口１１０ｃが最も小さい三種類目のカバー１００Ｃの場合には、光の出力は最も小さい設定値とする。照射口１１０ｂが中位の二種類目のカバー１００Ｂの場合では、光の出力も中間の設定値となっている。この関係性を考慮して、各カバー１００Ａ、１００Ｂ、１００Ｃに対する光の出力は、動作モード毎に適切に設定されている。つまり、制御部１５は、動作モード毎に複数の設定値を記憶している。
【００６３】
なお、本実施の形態では、照射口１１０ａ、１１０ｂ、１１０ｃの大きさが大きくなれば、光の出力も大きくなる場合を例示したが、これはあくまで一例である。照射口１１０ａ、１１０ｂ、１１０ｃの大きさが小さくなれば、光の出力が大きくなる関係性であってもよい。また、照射口１１０ａ、１１０ｂ、１１０ｃの大きさ、位置、形状を複合的に考慮して、各カバー１００Ａ、１００Ｂ、１００Ｃに対する光の出力を設定してもよい。
【００６４】
制御部１５は、動作モードとカバー１００の種類とが確定すると、この条件に対応する設定値を読み出して、一対の管状光源５１１を制御する。具体的には、制御部１５は、コンデンサ４５から一対の管状光源５１１に出力される電力のデューティ比を制御することで、一対の管状光源５１１のそれぞれが照射する光の出力を制御して、当該光の出力を設定値とする。光の出力の制御には、デューティ比を制御する方式以外にも、一対の管状光源５１１に対する入力電力を制御する方式を採用することが可能である。
【００６５】
また、制御部１５は、色検出センサ５９が検出した検出信号に基づいて、施術対象である部位の色を検出する。制御部１５は、検出した色に基づいて、照射部５０が照射する光の出力を制御する。具体的には、制御部１５は、検出した色に対して適切な光の出力となるように、各設定値を調整する。また、制御部１５は、光の照射に適さない色を検出した場合には、一対の管状光源５１１からの光の照射を停止する。
【００６６】
［動作］
次に、光照射型美容装置１０の動作について説明する。
【００６７】
まず、使用者は、光照射型美容装置１０の本体部２０に対して、所望のカバー１００を装着する。次いで、使用者が電源ボタン４１を操作すると、光照射型美容装置１０では電源がＯＮ状態となる。このとき、制御部１５は、点灯部４３及びファン３１を制御して、当該点灯部４３を点灯させるとともに、ファン３１を駆動させている。また、制御部１５は、一対の第三スイッチ素子６３からの制御信号に基づいて、カバー１００の装着状態が正常であるか否かを判断している。制御部１５は、カバー１００の装着状態が異常であると判断すると、如何なる操作が行われたとしても光源５１を発光させない。このように、異常時に光が照射されなければ、カバー１００が装着されていない状態での発光や、カバー１００が位置ズレしていることによる漏れ光を防止することができ、安全性を確保することができる。
【００６８】
次いで、使用者は、選択ボタン４２が操作して、所望の動作モードを選択する。制御部１５は、動作モードとカバー１００の種類とが確定すると、この条件に対応する設定値を読み出して、一対の管状光源５１１を制御する。これにより、光照射型美容装置１０からは、施術対象である部位に対して適切な光が照射されることになる。
【００６９】
［効果など］
以上のように、本実施の形態に係る光照射型美容装置は、照射口１１０の異なる複数種類のカバー１００が交換可能な光照射型美容装置１０であって、複数種類のカバー１００のうち一種類のカバー１００が取り付けられる本体部２０と、本体部２０に設けられた照射部５０であって、本体部２０に取り付けられたカバー１００の照射口１１０に向けて光を照射する照射部５０と、本体部２０に取り付けられたカバー１００の種類を検出する検出部（一対のカバー検知スイッチ９２、一対の弾性体９４、一対の第四スイッチ素子６４、制御部１５）と、検出部が検出したカバー１００の種類に基づいて、照射部５０が照射する光の出力を制御する制御部１５とを備えている。
【００７０】
これによれば、カバー１００の種類に基づいて、照射部５０が照射する光の出力が制御されるので、カバー１００を交換するだけで、適切な光の出力で施術を行うことができる。したがって、光照射型美容装置１０の使い勝手を高めることができる。
【００７１】
ここで、従来のように光源がカバー（照射ユニット）に設けられている場合には、カバーが重くなるだけでなく、カバー単体も高価になってしまう。光照射型美容装置は、複数のカバーとともにセット化された状態で販売される場合も多く、高重量化、高価格化を招く。本実施の形態では、本体部２０に照射部５０が設けられているので、複数種類のカバー１００単体を軽量化及び低価格化することができる。カバー１００が軽量化できれば、カバー１００の交換作業も容易に行うことができる。
【００７２】
また、照射部５０は、光源５１と、光源５１が出射した光の一部を照射口１１０に向けて反射する反射部５２を備え、反射部５２は、複数種類のカバー１００のいずれかが本体部２０に取り付けられたとしても当該カバー１００の照射口１１０内に、光源５１の配光のピークを配置する反射面５２２を有している。
【００７３】
これによれば、複数種類のカバー１００のいずれかが本体部２０に取り付けられたとしても当該カバー１００の照射口１１０内に光源５１の配光のピークが配置されるので、照射口１１０を介して、施術対象となる部位に光を安定して照射することができる。これにより、施術効果が高められるので、施術時間の短時間化を図ることができる。したがって、使い勝手をより高めることができる。
【００７４】
また、光源５１は、平行に配置された複数の管状光源５１１を有し、反射面５２２は、管状光源５１１の軸方向視において凹状に形成されていて、反射面５２２がなす凹状空間５２１内に複数の管状光源５１１が配置されている。
【００７５】
これによれば、反射面５２２がなす凹状空間５２１内に複数の管状光源５１１が配置されているので、複数の管状光源５１１が照射した光を反射面５２２で効率的に反射することができる。さらに、凹状空間５２１内に複数の管状光源５１１が配置されることで、これらを全体としてコンパクトにすることも可能である。
【００７６】
また、反射面５２２は、管状光源５１１の軸方向視において、複数の管状光源５１１のそれぞれにおけるカバー１００とは反対側の対向した位置で凹んだ複数の凹状面５２５を備えている。
【００７７】
これによれば、反射面５２２における管状光源５１１に対向した位置に凹状面５２５が設けられているので、管状光源５１１から直接出射された光と、反射面５２２によって反射された光との総合的な配光のピークを、中心Ｃに寄った位置に配置することができる。したがって、一対の管状光源５１１のいずれかが発光した場合、あるいは両者が同時に発光した場合においても、配光のピークは中心Ｃに寄った位置となる。カバー１００の照射口１１０は、いずれの種類においても中心Ｃに対向する場合が多い。つまり、いずれの種類のカバー１００であっても、照射口１１０内に配光のピークを容易に配置することができる。
【００７８】
［その他］
以上、本発明に係る光照射型美容装置について、上記実施の形態に基づいて説明したが、本発明は、上記実施の形態に限定されるものではない。
【００７９】
例えば、上記実施の形態では、照射部５０が一対の管状光源５１１を有している場合を例示した。しかしながら、管状光源５１１の設置個数は、１つであっても３つ以上であってもよい。また、管状光源５１１以外の光源を採用してもよい。
【００８０】
また、上記実施の形態で例示した反射面５２２の形状はあくまで一例である。反射面は、複数種類のカバー１００のいずれかが本体部２０に取り付けられたとしても当該カバー１００の照射口１１０内に、光源５１の配光のピークを配置するような形状であれば、その形状は如何様でもよい。
【００８１】
また、上記実施の形態では、報知部として視覚的な報知を行う点灯部４３を例示した。しかし、使用者に報知が行えるのであれば、その他の報知部を用いることが可能である。その他の報知部としては、例えば聴覚的な報知を行うスピーカまたは触覚的な報知を行う振動装置などが挙げられる。また、種類の異なる報知部を複数組み合わせて用いることも可能である。
【００８２】
また、上記実施の形態では、電源として商用電源を例示したが、一次電池または二次電池などの電池を電源としてもよい。
【００８３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００８４】
本発明は、肌に対して用いられる光照射型美容装置に適用可能である。
【符号の説明】
【００８５】
１０  光照射型美容装置
１５  制御部（検出部）
２０  本体部
２１  ハウジング
３０  ヘッド部
３１  ファン
３２  通気孔
４０  把握部
４１  電源ボタン
４２  選択ボタン
４３  点灯部
４４  回路基板
４５  コンデンサ
４６  回路部品
４９  電源端子
５０  照射部
５１  光源
５２  反射部
５３  固定部材
５４  フィルタ
５５  第一基台
５６  第二基台
５９  色検出センサ
６０  支持部材
６１  基板
６３  第三スイッチ素子
６４  第四スイッチ素子（検出部）
７０  フレーム
７１  壁部
７２  天板部
７９  突出部
８０  係止部
８１  フック
８２、９３  弾性体
８３  台座
９１  フロートスイッチ
９２  カバー検知スイッチ（検出部）
９４  弾性体（検出部）
１００、１００Ａ、１００Ｂ、１００Ｃ  カバー
１１０、１１０ａ、１１０ｂ、１１０ｃ  照射口
１１１  切り欠き
４６１  第一スイッチ素子
４６２  第二スイッチ素子
５１１  管状光源
５２１  凹状空間
５２２  反射面
５２３  壁
５２４  貫通口
５２５  凹状面
５２６  点状突起
５６１  枠状部
７２１  露出口
Ｃ  中心
【図１】
2019092859.tif 000003
【図２】
2019092859.tif 000004
【図３】
2019092859.tif 000005
【図４】
2019092859.tif 000006
【図５】
2019092859.tif 000007
【図６】
2019092859.tif 000008
【図７】
2019092859.tif 000009
【図８】
2019092859.tif 000010
【図９】
2019092859.tif 000011
【図１０】
2019092859.tif 000012
【図１１】
2019092859.tif 000013
【図１２】
2019092859.tif 000014
【図１３】
2019092859.tif 000015